(57)【要約】【課題】人感スイッチとして必要な各種の付加機能部材を設置することが可能な人感スイッチ及び照明装置を提供する。【解決手段】熱線を検知するセンサ１１と；検知エリアからの熱線をセンサに集光するレンズ１２と；センサ１１の検知信号に基づき負荷を制御する制御部材１３と；前記センサ１１、レンズ１２及び制御部材１３を設けた本体ケース１４と；本体ケースを覆うカバー部材１５と；付加機能部材１６を本体ケース１４に設置可能となす接続手段１７と；を具備する人感スイッチ１０を構成する。【選択図】        図１
2007141604.tif 000002
【特許請求の範囲】
【請求項１】
熱線を検知するセンサと；
検知エリアからの熱線をセンサに集光するレンズと；
センサの検知信号に基づき負荷を制御する制御部材と；
前記センサ、レンズ及び制御部材を設けた本体ケースと；
本体ケースを覆うカバー部材と；
付加機能部材を本体ケースに設置可能となす接続手段と；
を具備することを特徴とする人感スイッチ。
【請求項２】
前記付加機能部材は、センサの検知エリアを表示する発光素子で構成し、接続手段により本体ケースの制御部材に接続したことを特徴とする請求項１に記載の人感スイッチ。
【請求項３】
前記付加機能部材は、センサの検知エリアを表示する発光素子及び発光素子を点灯するための電源を有する検知部材で構成し、接続手段により本体ケースに着脱可能に支持したことを特徴とする請求項１に記載の人感スイッチ。
【請求項４】
前記接続手段は、付加機能部材を本体ケースの制御部材に電気的に接続し、かつ着脱可能に支持するソケット部材で構成したことを特徴とする請求項１に記載の人感スイッチ。
【請求項５】
前記付加機能部材は、本体ケースの制御部材により負荷をオン、オフするリレーで構成し、ソケット部材に着脱可能に支持したことを特徴とする請求項４に記載の人感スイッチ。
【請求項６】
前記付加機能部材は、本体ケースの制御部材により負荷をオン、オフするリレー及びリレーの接点溶着を検知する手段を有するリレーユニットで構成し、ソケット部材に着脱可能に支持したことを特徴とする請求項４に記載の人感スイッチ。
【請求項７】
前記リレーまたはリレーユニットは、カバー部材を貫通して設け、カバー部材の外側から着脱が可能になるように設けたことを特徴とする請求項５または６に記載の人感スイッチ。
【請求項８】
前記付加機能部材は、センサ及びレンズからなるユニットで構成し、ソケット部材に着脱可能に支持したことを特徴とする請求項４に記載の人感スイッチ。
【請求項９】
前記請求項１ないし８いずれか一に記載の人感スイッチと；
人感スイッチにより制御される照明器具と；
を具備することを特徴とする照明装置。
【発明の詳細な説明】
【技術分野】
【０００１】
本発明は、人体からの熱線を検知して人の存否に応じた信号を出力する人感スイッチ及び人感スイッチにより制御される照明器具を具備した照明装置に関する。
【背景技術】
【０００２】
従来、この種の人感スイッチは、例えば、下記の特許文献１及び２に示されるように、人体からの熱線を検知するセンサと、検知エリアからの熱線をセンサに集光するレンズと、センサの検知信号に基づき負荷をオン・オフする制御回路と、これらセンサ、レンズ及び制御回路を設けた本体ケース及び本体ケースを覆うカバーで構成されている。
【０００３】
これら人感スイッチは、省エネの観点から、例えば、部屋の照明を行う照明器具と連動させ、天井等に設置して照明装置を構成し、人が部屋に入るとセンサが人体からの熱線を検知して照明器具を点灯し、人が部屋から出た場合に、人がいなくなり照明が不要となったことをセンサが検知して、自動的に照明器具を消灯し、無駄な電力消費を抑制するようにしている。
【０００４】
また、特許文献２に示されるように、廊下等の壁面に設置して、人が通ったときに前方の照明器具を点灯し、人が通過すると消灯するようにしている。
【特許文献１】特開平６−１０９８６４号公報
【特許文献２】特開２００４−１８５８１６号公報
【発明の開示】
【発明が解決しようとする課題】
【０００５】
これらの人感スイッチでは、その用途に応じて、人を検知するセンサの検知エリアが予め設定されている。
【０００６】
例えば、図３に示すように、天井取付形の人感スイッチにおいては、確実な検知が人の上半身で行われるために、床より約１ｍ（天井からは天井高さ寸法からマイナス１ｍ）の位置に検知エリアが設定されており、この検知エリアを目安に人感スイッチの設置位置を決めるようにしている。
【０００７】
しかしながら、この検知エリアは、目視できるものではなく、設置工事の現場においては、実際に人が動いたりして目に見えない検知エリアを確認しながら行う必要があり、手間と時間がかかり、また正確な検知エリアをもって設置することが困難な問題が生じている。特に、部屋の扉を開閉した際の扉による陰、家具等の陰になる部分における検知エリアの確認が難しい。
【０００８】
このため、この種の人感スイッチ及び照明装置においては、如何に確実かつ正確に人の存否を検知できるようにするかが重要な課題となっており、検知エリアの目視化が要望されている。
【０００９】
一方、この種人感スイッチ、特に４線式の人感スイッチにおいては、内蔵するリレーにより負荷をオン、オフしているが、その接点開放時にアークが発生し、長年の使用にわたるとリレーの接点が溶着し、負荷である照明器具が点灯したままの状態となる場合がある。
【００１０】
しかし、照明器具が点灯したままの状態となった場合、何が原因でなったのかがわからず、従来は人感スイッチ全体を交換することになり、使用者に費用的な負担をかけてしまう場合も生じていた。
【００１１】
このため、使用者に負担をかけずに、リレーの接点溶着による故障の修理を如何にするかが重要な課題となっており、リレーの接点溶着状態を表示し、リレーのみを交換することが可能な人感スイッチ及び照明装置が要望されていた。
【００１２】
また、人感スイッチは、３６０度の角度方向にわたり検知する天井取付形と、３６０度の角度方向は検知しない壁面取付形が製品化されているが、それぞれのレンズが異なるために天井取付形と壁面取付形とは兼用できない。さらに、住宅用や定格容量の大きな施設用の機種もあり、メーカーとしては、各種の仕様に合わせた製品、在庫を持つ必要があり、在庫管理が煩雑となる問題がある。
【００１３】
このため、この種人感スイッチにおいては、在庫管理を如何に簡素化するかが重要な課題となっており、各種用途にわたって兼用することが可能な人感スイッチ及び照明装置の出現が要望されている。
【００１４】
以上のように、この種の人感スイッチ及び照明装置においては、検知エリアの目視化、リレーの接点溶着の表示、リレーのみの交換、さらには各種用途への兼用を果たすことが可能な人感スイッチとしての付加機能を如何に実現するかが重要な課題となっている。
【００１５】
本発明は、上述した問題、課題を解決することを目的とし、上記人感スイッチとして必要な各種の付加機能部材を設置することが可能な人感スイッチ及び照明装置を提供しようとするものである。
【課題を解決するための手段】
【００１６】
請求項１に記載の人感スイッチの発明は、熱線を検知するセンサと；検知エリアからの熱線をセンサに集光するレンズと；センサの検知信号に基づき負荷を制御する制御部材と；前記センサ、レンズ及び制御部材を設けた本体ケースと；本体ケースを覆うカバー部材と；付加機能部材を本体ケースに設置可能となす接続手段と；を具備することを特徴とする。
【００１７】
本発明によれば、付加機能部材を本体ケースに設置可能となす接続手段により、人感スイッチとして必要な各種の付加機能部材を設置することが可能な人感スイッチが構成される。
【００１８】
本発明において、人感スイッチは屋内用、屋外用、天井取付形、壁面取付形、さらに住宅用、施設用等、全ての人感スイッチを許容する。
【００１９】
センサの検知信号に基づき制御される負荷は、人の存否により点灯及び消灯させる照明器具であることが好ましいが、防犯器具の警報器等、人の家屋への侵入をセンサで検知し、警報音を発生させるものなど、光、音等を制御する全ての機器を許容する。
【００２０】
センサの検知信号に基づき負荷を制御する制御部材は、上記の負荷を、例えば、センサの検知信号に基づき所定時間オン信号を出力するタイマーと、タイマーからのオン信号の有無に応じてオン、オフするスイッチからなる制御回路で構成することが好ましいが、所定時間オン信号を出力するタイマーは、本発明を実現するための必要条件ではなく、負荷が有する機能によっては設置をする必要はない。
【００２１】
また、タイマー及びスイッチはマイコン等の電子回路で構成した電子的なタイマー及び半導体スイッチでも、リレー等の機械的なタイマー及びスイッチで構成しても、さらには電子及び機械的なものを組み合わせて構成してもよい。
【００２２】
付加機能部材は、人感スイッチとして必要な各種の付加機能部材で、検知エリアの目視化機能、リレーの接点溶着の表示機能、リレー、ブザー、タイマー等の消耗部品のみの交換機能、さらに各種用途への兼用を果たすことが可能となる機能が許容され、前記制御部材は、これら付加機能部材から信号を受けて各種の制御信号を出力し、人感スイッチを制御することも許容される。
【００２３】
さらに、制御部材は、各種付加機能部材を動作させるための、例えば直流電源を生成する機能を有していてもよい。
【００２４】
付加機能部材を本体ケースに設置可能となす接続手段は、例えば、電球の口金とソケットの関係のように、付加機能部材を本体ケースに設置することにより、電気的な接続と付加機能部材を本体ケースに支持するための機械的な接続が同時になすことができる手段でも、付加機能部材を本体ケースの制御部材に電気配線を行うための電気的な接続手段のみで構成してもよい。
【００２５】
さらには、電源を内蔵している付加機能部材の場合には、付加機能部材を本体ケースに支持するための機械的な接続手段のみで構成してもよい。
【００２６】
また、接続手段は、付加機能部材を本体ケースに固定して接続する手段でも、着脱可能に接続する手段であってもよい。
【００２７】
請求項２に記載の発明は、請求項１に記載の人感スイッチにおいて、前記付加機能部材は、センサの検知エリアを表示する発光素子で構成し、接続手段により本体ケースの制御部材に接続したことを特徴とする。
【００２８】
本発明において、センサの検知エリアを表示する発光素子は、センサの目に見えない検知エリアを、発光素子の光線で目視可能とするための手段であり、光の直進性がよいＬＥＤやレーザー等の半導体発光素子で構成することが好ましいが、白熱電球や蛍光ランプ等の放電ランプで構成してもよく、光源としては特定のものに限定されない。
【００２９】
さらに、光源にレンズや反射体等の光制御部材を付加して光線の直進性を高め、目視性能を一層よくするための手段を講じてもよい。
【００３０】
発光素子で表示するセンサの検知エリアは、天井取付形の場合には光線を床面に投射して表示しても、また壁面取付形の場合には対向する壁面、若しくは別途に用意した衝立等に光線を投射して表示するようにしてもよい。
【００３１】
発光素子で表示するセンサの検知エリアは、人感スイッチに予め設定された検知エリアと一致させることが好ましいが、完全に一致している必要はなく、工事現場等で許容される範囲内で多少異なっていてもよく、支障とならない許容範囲で実質的に略一致していればよい。
【００３２】
また、表示する検知エリアは、検知エリアの内、内周に設定された有効検知エリア及びその外周に設定された検知エリアを含めて表示しても、外周エリアのみ、若しくは内周エリアのみを表示するようにしてもよい。
【００３３】
請求項３に記載の発明は、請求項１に記載の人感スイッチにおいて、前記付加機能部材は、センサの検知エリアを表示する発光素子及び発光素子を点灯するための電源を有する検知部材で構成し、接続手段により本体ケースに着脱可能に支持したことを特徴とする。
【００３４】
本発明において、センサの検知エリアを表示する発光素子及び発光素子を点灯するための電源を有する検知部材は、例えば、乾電池等の直流電源を自身が内蔵し、電池と検知エリアを表示する発光素子とで独立した確認用器具で構成し、例えば、部屋に設置した人感スイッチに確認用器具を取り付けて検知エリアの確認を行い、完了したら、その確認用器具を取り外して次の部屋の人感スイッチに再度取り付けて設置作業を行うように、治具的な機能を有する検知部材を構成することを許容する。
【００３５】
検知部材を本体ケースに着脱可能に支持するための接続手段は、検知部材が容易に落下しない程度に、一時的に支持されているものでもよく、例えば、治具としての確認用器具自体を回して本体ケースにねじ込んで接続する手段でも、複数の蝶ねじ等、別途の取付具によって接続する手段でもよい。
【００３６】
請求項４に記載の発明は、請求項１に記載の人感スイッチにおいて、前記接続手段は、付加機能部材を本体ケースの制御部材に電気的に接続し、かつ着脱可能に支持するソケット部材で構成したことを特徴とする。
【００３７】
ソケット部材は、付加機能部材を本体ケースの制御部材に電気的に接続すると同時に、付加機能部材を本体ケースに支持するための機械的な接続を行うための手段で、例えば、白熱電球におけるねじ込み式の口金とソケットでも、蛍光ランプのピン状に突出する２本の端子とソケット、蛍光ランプの点灯管等に使用される押しピン状の２本の端子とソケット、さらには配線器具のシーリングローゼットに使用されているＬ字形の２本の端子と受け金具等を許容する。
【００３８】
請求項５に記載の発明は、請求項４に記載の人感スイッチにおいて、前記付加機能部材は、本体ケースの制御部材により負荷をオン、オフするリレーで構成し、ソケット部材に着脱可能に支持したことを特徴とする。
【００３９】
負荷をオン、オフするリレーは、住宅用や定格容量の大きな施設用等を許容する。さらに、負荷をオン、オフするリレー及びリレーの接点溶着を検知する検知リレーを内蔵したリレーユニットでもよい。
【００４０】
請求項６に記載の発明は、請求項４に記載の人感スイッチにおいて、前記付加機能部材は、本体ケースの制御部材により負荷をオン、オフするリレー及びリレーの接点溶着を検知する手段を有するリレーユニットで構成し、ソケット部材に着脱可能に支持したことを特徴とする。
【００４１】
請求項７に記載の発明は、請求項５または６に記載の人感スイッチにおいて、前記リレーまたはリレーユニットは、カバー部材を貫通して設け、カバー部材の外側から着脱が可能になるように設けたことを特徴とする。
【００４２】
請求項８に記載の発明は、請求項４に記載の人感スイッチにおいて、前記付加機能部材は、センサ及びレンズからなるユニットで構成し、ソケット部材に着脱可能に支持したことを特徴とする。
【００４３】
センサ及びレンズからなるユニットは、３６０度の角度方向にわたり検知する広角レンズを用いたもの、さらに３６０度の角度方向は検知しない半分検知のレンズ、直下を検知する直下レンズ、さらに外周だけを検知する外周レンズを用いたもの等を許容する。
【００４４】
請求項９に記載の照明装置の発明は、前記請求項１ないし８いずれか一に記載の人感スイッチと；人感スイッチにより制御される照明器具と；を具備することを特徴とする。
【発明の効果】
【００４５】
請求項１の発明によれば、付加機能部材を本体ケースに設置可能となす接続手段により、人感スイッチとして必要な各種の付加機能部材を設置することが可能な人感スイッチを提供することができる。
【００４６】
請求項２の発明によれば、付加機能部材は、センサの検知エリアを表示する発光素子で構成したことにより、検知エリアの目視化を行うことができ、確実かつ正確に人の存否を検知することが可能な人感スイッチを提供することができる。
【００４７】
請求項３の発明によれば、付加機能部材は、センサの検知エリアを表示する発光素子及び発光素子を点灯するための電源を有する検知部材で構成したことにより、検知エリアの目視化を行うことができ確実かつ正確に人の存否を検知することが可能で、かつ治具的な検知部材を構成することができ、人感スイッチ自体のコストアップを抑制することが可能な人感スイッチを提供することができる。
【００４８】
請求項４の発明によれば、接続手段は、付加機能部材を本体ケースの制御部材に電気的に接続し、かつ着脱可能に支持するソケット部材で構成したことにより、簡易な構成により人感スイッチとして必要な各種の付加機能部材を設置することが可能な人感スイッチを提供することができる。
【００４９】
請求項５の発明によれば、付加機能部材は、本体ケースの制御部材により負荷をオン、オフするリレーで構成したことにより、リレーのみを交換することができ、使用者に費用的な負担をかけずに修理することが可能な人感スイッチを提供することができる。
【００５０】
請求項６の発明によれば、付加機能部材は、本体ケースの制御部材により負荷をオン、オフするリレー及びリレーの接点溶着を検知する手段を有するリレーユニットで構成したことにより、使用者でも容易かつ確実にリレーの故障を判断し、リレーのみを交換することができ、使用者に費用的な負担をかけずに修理することが可能な人感スイッチを提供することができる。
【００５１】
請求項７の発明によれば、リレーまたはリレーユニットは、カバー部材を貫通して設け、カバー部材の外側から着脱が可能になるように設けたことにより、使用者でも容易にリレーまたはリレーユニットのみを交換することができ、使用者に費用的な負担をかけずに修理することが可能な人感スイッチを提供することができる。
【００５２】
請求項８の発明によれば、付加機能部材は、センサ及びレンズからなるユニットで構成したことにより、天井取付形や壁取付形など各種用途を兼用することができ、製品の在庫管理を簡素化することが可能な人感スイッチを提供することができる。
【００５３】
請求項９の発明によれば、人感スイッチとして必要な各種の付加機能部材を設置することが可能な人感スイッチを具備した照明装置を提供することができる。
【発明を実施するための最良の形態】
【００５４】
以下、本発明の人感スイッチ及び照明装置の実施形態につき説明する。
【実施例１】
【００５５】
本実施例は、センサの検知エリアを表示する付加機能部材を設置可能とした人感スイッチ及び照明装置の実施形態であり、その構成を室内の照明器具と組み合わせて使用される、屋内天井取付形の人感スイッチ及び照明装置を例に、図１〜図８に従い説明する。
【００５６】
１０は、本発明の人感スイッチで、熱線を検知するセンサ１１、熱線をセンサに集光するレンズ１２、センサの検知信号に基づき負荷である照明器具をオン、オフ制御する制御部材１３、センサ１１、レンズ１２及び制御部材１３を設けた本体ケース１４、本体ケースを覆うカバー部材１５及び人感スイッチとしての付加機能部材１６を本体ケース１４に設置するための接続手段１７で構成する。
【００５７】
センサ１１は、赤外線等の熱線を検知する焦電センサからなり、焦電センサの受光面をレンズ１２で覆い、焦電センサとレンズを組み合わせた一体のユニットとして構成する。
【００５８】
レンズ１２は、透明なガラス等でドーム型に構成したフレネルレンズからなり、センサ検知領域からの熱線をセンサ１１の受光面に確実に集光するように構成する。
【００５９】
センサ１１の検知領域は、図３（ａ）に示すように天井取付形の人感スイッチにおいては、確実な検知が人の上半身で行われるために、床より約１ｍ（天井からは天井高さ寸法からマイナス１ｍ）の位置に約２．８ｍ四方の有効検知エリアＡを、さらにその外周に約４．５ｍ四方の検知エリアＢが設定される。
【００６０】
レンズ１２は、この検知エリアＡ及びＢの領域をカバーするように、図３（ｂ）（ｃ）に示すように、この領域を垂直線に対する角度が約２７度及び約４５度のビーム２５本で分割し、その角度からの熱線を直接入射して受光できるように、ドーム表面を２５個に分割した合計２５個のフレネルレンズで構成する。
【００６１】
制御部材１３は、図４に示すようにマイコン等で構成した制御部を有し、負荷である照明器具２０をセンサ１１の検知信号に基づき所定時間オンするための信号を出力するタイマー１３ａと、タイマーからのオン信号の有無に応じてオン、オフするスイッチ１３ｂからなり、タイマー及びスイッチは電子回路で構成した電子的なタイマー及び半導体スイッチで構成する。
【００６２】
制御部材１３は、商用電源から供給される１００Ｖの交流電源２１で動作すると共に、後述する検知エリア表示用の発光素子であるＬＥＤを点灯するための直流電源１３ｃを生成する機能も有している。
【００６３】
これら機能を構成する電子回路は、耐熱性で電気絶縁性を有するＡＢＳ等の合成樹脂からなる制御ボックス１３ｄ内に収納され、上記のセンサ１１及びレンズ１２からなるユニットが制御ボックス１３ｄの一端部に取り付けられる。
【００６４】
本体ケース１４は、円板状をなす耐熱性で電気絶縁性を有するＡＢＳ等の合成樹脂で構成し、円板の中央部分に上述した制御ボックス１３ｄを挿入し、レンズ１２が本体ケース１４の正面側に露出するようにして取り付ける。
【００６５】
これにより、本体ケース１４の背面側には、制御部材１３を構成する制御ボックス１３ｄが突出して取り付けられる。
【００６６】
図中１４ａは、本体ケースの周縁部に形成したカバー部材１５を取り付けるためのサポート部。１４ｂは制御ボックス１３ｄの両側に取り付けられ、本体ケース１４を天井埋め込み穴に係合させて支持するための公知の取付金具である。
【００６７】
カバー部材１５は、センサ１１及びレンズ１２を保護するために、本体ケース１４を覆うカバーの機能をなすもので、浅い球面をなす皿状に形成する。
【００６８】
カバー部材１５は、外周をＡＢＳ等の不透明な合成樹脂で構成し、中央部は、熱線を通過させるための窓孔１５ａを形成し、窓孔はＨＰＥ（オレフィン系熱可塑性エラストマー）等で構成した蓋状のカバー１５ｂで閉塞し検知面を形成する。
【００６９】
カバー部材１５は、その外周内縁部を本体ケース１４の周縁部に形成したサポート部１４ａに、合成樹脂の弾性を利用して係合させて嵌め込み固定する。図中１５ｃはカバー部材１５を本体ケース１４から外すためのはずし溝、１５ｄは本体ケースとカバー部材との間に介在させたパッキングである。
【００７０】
図中１６は、本発明における人感スイッチとしての付加機能部材で、本実施例では、センサの検知エリアを目視できるようにするための発光素子である。
【００７１】
発光素子１６は、図５（ａ）に示すように、光源として光の直進性がよい半導体発光素子である白色のＬＥＤ１６ａを用い、白熱電球と同様に構成した口金１６ｂにＬＥＤを取り付け、ＬＥＤをフード１６ｃで囲って構成する。
【００７２】
フード１６ｃはアルミニウム等の金属または合成樹脂で両端を開放した円筒状に構成し、その内面に反射膜を形成してＬＥＤから放射される光を、より一層直進させるように構成し、フード１６ｃの一端を口金１６ｂの開放部内面に挿入嵌合して固定し、開放する他端からＬＥＤの光線が放射されるように構成する。
【００７３】
上記に構成した発光素子１６は、複数個、本実施例では計８個用意し、その口金１６ｂを本体ケース１４の正面側に設けられたソケット１４ｄにねじ込んで取り付ける。
【００７４】
この口金１６ｂとソケット１４ｄにより、本発明における付加機能部材である発光素子１６を、本体ケース１４に設置可能となす接続手段１７が構成される。
【００７５】
８個の各発光素子１６は、ＬＥＤ１６ａが放射する光線がセンサ１１の検知エリアを投影するように設置する。
【００７６】
すなわち、図３（ｃ）に示す、外周に位置する検知エリアＢの四隅のビームポイントａ、ｂ、ｃ、ｄ及びビームポイントａ、ｂ、ｃ、ｄの略中間点に位置するビームポイントｅ、ｆ、ｇ、ｈに、８個のＬＥＤの光線がそれぞれ投影される角度に傾斜させて本体ケース１４に設置する。
【００７７】
すなわち、本体ケース１４の中央部に取り付けられたセンサ１１及びレンズ１２に隣接した外周部分に、有底円筒状の支持凹部１４ｅを、検知エリアＢのビームポイントａ、ｂ、ｃ、ｄ及びビームポイントｅ、ｆ、ｇ、ｈに、相似的に対向させて８個形成する。
【００７８】
８個の支持凹部１４ｅは、上述した８個のＬＥＤ１６ａの光線が、それぞれのビームポイントに投影される角度に傾斜させて形成し、支持凹部１４ｅ内にソケット１４ｄを挿入して取り付ける。
【００７９】
これにより、発光素子１６の口金１６ｂをソケット１４ｄにねじ込んで固定すれば、発光素子が所定の傾斜角度をもって支持され、８個のＬＥＤの光線が、図３に示す検知エリアＢのビームポイントａ、ｂ、ｃ、ｄ及びビームポイントｅ、ｆ、ｇ、ｈにそれぞれ対応して投影されるようになる。
【００８０】
これにより、発光素子１６から投影された光線の空中のビーム及び床面Ｆに明るく投影された光るポイントにより、センサの検知エリアＢが略正確に映し出されて目視できようになる。
【００８１】
次に、上記に構成した人感スイッチの電気回路及び照明器具との配線図を、図４に従い説明する。
【００８２】
人感スイッチ１０の制御部材１３には、スイッチ端子１３ｅ、電源入力端子１３ｆ、信号入力端子１３ｇ及び直流電源端子１３ｈを設ける。
【００８３】
信号入力端子１３ｇに人感スイッチのセンサ１１を接続し、直流電源出力端子１３ｈに発光素子１６を接続する。
【００８４】
発光素子は、８個のＬＥＤをそれぞれ直列に接続し、このＬＥＤに検知エリア確認スイッチ１８を直列に接続する。
【００８５】
さらに、電源入力端子１３ｆに、商用電源２１を接続し、スイッチ端子１３ｅには照明器具２０及び商用電源２１の一端を接続する。
【００８６】
これにより、人感スイッチ１０のスイッチ１３ｂが、商用電源２１に対して照明器具２０を介して直列に配線接続され、照明装置２５の配線が構成される。
【００８７】
照明器具２０は、白熱電球や蛍光ランプ等の光源を有し、検知エリア確認スイッチ１８は、本体ケース１４の正面側に、発光素子１６に隣接して取り付け、カバー部材１５を取り外した状態で、スイッチのオン、オフ操作ができるように構成する（図１）。
【００８８】
次に、上記のように構成した人感スイッチを照明器具と共に室内に設置し、照明装置を構成するための作業手順を、図６に従い説明する。
【００８９】
なお、人感スイッチ１０には、製品として、センサ１１及びレンズ１２からなるユニット、８個のＬＥＤ１６ａを有する発光素子１６及び検知エリア確認スイッチ１８が、予め組み込まれている。
【００９０】
まず、照明器具２０を部屋の天井Ｔの略中央部に位置させて設置する。
【００９１】
次に、人感スイッチ１０を部屋の天井Ｔに設置する。まず、取扱説明書等に記載されている検知エリア図を目安に設置する位置を決めて、天井に円形の埋め込み用の設置孔Ｈを形成する。
【００９２】
次に、人感スイッチのカバー部材１５を本体ケース１４から取り外し、天井に形成された設置孔Ｈに、本体ケース１４の正面側を下方にして背面側の制御部材１３を設置孔に挿入し、取付金具１４ｂで天井板を挟みこんで取り付ける。
【００９３】
次に、照明器具２０及び商用電源２１との配線作業を行う。まず、人感スイッチのスイッチ端子１３ｅに照明器具２０及び商用電源２１の一端を接続し、さらに、電源入力端子１３ｆに商用電源２１を接続し、照明装置２５を構成する。
【００９４】
配線作業終了後、商用電源２１を投入して人感スイッチ１０及び照明器具２０に電源を供給する。
【００９５】
次に、検知エリア図を目安に設置した人感スイッチの、実際の検知エリアがどのようになっているかを確認する。
【００９６】
まず、カバー部材１５が取り外され、本体ケース１４の下面に露出した検知エリア確認スイッチ１８を操作してスイッチをオンにする。
【００９７】
これにより、発光素子１６の８個のＬＥＤ１６ａが点灯し、ＬＥＤからの光線が空中及び床面Ｆに投影される。
【００９８】
すなわち、８個のＬＥＤ１６ａからの各光線は、図３に示すセンサの検知エリアＢの四隅のビームポイントａ、ｂ、ｃ、ｄ及びビームポイントｅ、ｆ、ｇ、ｈに、それぞれ対応して投影され、空中に投影される斜めの８本の光線ビーム、さらに床面Ｆに明るく投影された８個の光るポイントによりセンサ１１の検知エリアＢが表示される。
【００９９】
この表示された検知エリアＢを目視しながら、検知される範囲を確認する。特に、扉の開閉状態での検知範囲や、陰になる部分等を確認し、さらに実際に人が動きながら再確認を行い、人感スイッチが所定の目的とする動作を確実かつ正確に行えるように設置する。
【０１００】
この際、検知距離等が不足しているような場合には、本体ケース１４を設置孔Ｈにおける余裕寸法範囲内で、ずらしたり多少傾けたりして人感スイッチの設置位置、角度を調整する。
【０１０１】
さらに、表示された検知エリアを見ながら、部屋内のエアコンの設置箇所等、検知エリアから外したい部分を、別個の付属部品である公知のレンズシェードで調整する。
【０１０２】
また、発光素子１６を本体ケース１４に設置可能となす接続手段１７として、発光素子１６を、ねじ込み式の口金１６ｂとソケット１４ｄで着脱可能に構成したので、次のような方法で複数設置された人感スイッチにおける検知エリアの確認作業を行うようにしてもよい。
【０１０３】
すなわち、人感スイッチには、ソケット１４ｄのみを組み込み、発光素子１６は１台の人感スイッチに対応する数、上記構成の人感スイッチであれば８個だけ用意し、検知治具として使用する方式にする。
【０１０４】
各ソケット１４ｄは、複数の各人感スイッチの機能、性能に応じた検知エリアのビーム角度に合わせて傾斜させた支持凹部１４ｅに、それぞれ挿入して取り付けた構成とする。
【０１０５】
上記に構成された人感スイッチを部屋に設置し、検知エリアの確認作業を行うときに、８個の発光素子１６をソケット１４ｄにねじ込んで点灯して作業を行う。
【０１０６】
この際、ソケット１４ｄは検知エリアのビーム角度に合わせて傾斜させた支持凹部１４ｅに取り付けられているので、発光素子１６は設置された人感スイッチの検知エリアを正確に表示する。
【０１０７】
作業が終了したら発光素子１６をソケット１４ｄから取り外し、次の部屋で２台目の人感スイッチの設置作業を行い、その検知エリアの確認作業の際に、取り外した発光素子１６を２台目の人感スイッチのソケット１４ｄに、再度ねじ込み、点灯して作業を行う。
【０１０８】
この方式により、発光素子１６を人感スイッチ個々に組み込むことなく、１台の人感スイッチに対応する数だけ用意し、検知治具として使用することができる。
【０１０９】
なお、上述した各検知エリアの確認は、照明器具２０を消灯して暗くした状態で行えば、空中に投影される斜めの８本の光線ビーム、さらに床面に明るく投影された８個の光るポイントが、より鮮明に映し出され、検知エリアの確認が一層し易くなる。
【０１１０】
上記により、検知エリアを確認し設置位置が確定した状態で、検知エリア確認スイッチ１８をオフし、カバー部材１５を本体ケース１４のサポート部１４ａに係合させて嵌め込んで固定し、作業が完了する。
【０１１１】
上記のように人感スイッチ１０及び照明器具２０からなる照明装置２５が設置され部屋は、人の存否を確認して自動的に照明器具２０の点灯及び消灯がなされる。
【０１１２】
扉を開き部屋に人が入ると、人感スイッチ１０の検知エリアＢ内に人が入り、センサ１１が人の熱を感知する。
【０１１３】
これにより、制御部材１３のスイッチ１３ｂにオン信号が出力されて、スイッチがオンされ照明器具２０が点灯する。人が部屋にいる間はセンサ１１が人の存在を感知して点灯をし続ける。
【０１１４】
人が部屋から出ると、センサ１１は熱線を感知しなくなって、検知エリアＢ内に人がいないことを認識し、タイマー１３ａに信号を出力する。
【０１１５】
タイマーは設定された所定の時間にわたりスイッチ１３ｂにオン信号を出力し照明器具２０を点灯し続けた後に、オフ信号を出力してスイッチ１３ｂをオフして照明器具２０を自動的に消灯し、無駄な電力消費を抑える。
【０１１６】
なお、タイマー１３ａが所定の時間オン信号を出力する時間は、例えば２０秒から４分等の間で調整ができるように設定する。
【０１１７】
また、部屋に実際に入居し、家具等を設置した状態で、使用者から人感スイッチの動作状況に対する苦情等があった場合、天井に設置された人感スイッチのカバー部材１５を取り外し、検知エリア確認スイッチ１８をオンにして発光素子１６を点灯し、上述したセンサ１１の検知エリアＢを表示する。
【０１１８】
この発光素子１６により表示された検知エリアＢを使用者に、目で見える形で示し、目視しながら検知される範囲を確認する。特に、扉の開閉状態での検知範囲や、家具により陰になる部分等を確認し、場合によっては、本体ケース１４を設置孔Ｈの余裕寸法範囲内で、ずらしたり多少傾けたりして人感スイッチの設置位置、角度を調整する。さらに、家具等をずらしたり、移動させて使用者が満足する状態に設定する。
【０１１９】
また、ショウルーム等に上述した人感スイッチ１０及び照明器具２０からなる照明装置２５をセットしておけば、使用者は人感スイッチを購入する前に、目に見える形で人感スイッチの動作状況、性能等を確認することができる。
【０１２０】
以上本実施例において、天井取付形の人感スイッチとして構成したが、壁取付形の人感スイッチとして構成してもよい。
【０１２１】
この場合は、図７に示すように、側面方向に設定される１０分割の検知エリアＣに合わせて、発光素子の光線を投影するようにすればよい。また、投影する壁面までの距離が遠い場合には、衝立等を設置して、衝立に検知エリアを映し出すようにして確認作業を行うようにしてもよい。
【０１２２】
発光素子１６は、センサ１１の検知エリアＢ表示するようにしたが、図３に示す有効検知エリアＡも同時に表示するようにしてもよい。
【０１２３】
発光素子１６は、８個のＬＥＤ１６ａで構成し、センサの検知エリアＢの四隅のビームポイントａ、ｂ、ｃ、ｄ及び略中間点に位置するビームポイントｅ、ｆ、ｇ、ｈに、それぞれ対応して投影し、センサの検知エリアを表示するようにしたが、略中間点に位置するビームポイントｅ、ｆ、ｇ、ｈは省略し、四隅のビームポイントａ、ｂ、ｃ、ｄだけで表示するようにしてもよい。さらには、ビームポイントａ、ｂの直線による表示、ａのみの点による表示とし、他のエリアを仮想するようにしてもよい。さらに発光素子を面光源となし、検知エリアを面で表示してもよい。
【０１２４】
発光素子１６の各ＬＥＤ１６ａは直列に接続して、全てのＬＥＤが接続されないと点灯できないように構成したが、各ＬＥＤを並列に接続して、発光素子１６を必要な部分のみに設置して使用できるように構成してもよい。
【０１２５】
発光素子１６の光源を白色ＬＥＤで構成したが、赤色、緑色、青色ＬＥＤ等、有色の光源として目視をさらにし易くてもよい。
【０１２６】
発光素子１６は、ねじ込み式の口金１６ｂとソケット１４ｄによる接続手段１７より、電気接続と機械的接続を行う構成したが、図５（ｂ）に示すように、発光素子１６には口金を設けずにＬＥＤのリード線１６ｄを導出させた構成となし、発光素子は傾斜した支持凹部１４ｅに挿入して接着剤等で固定し、リード線１６ｄを制御部材１３の回路に直接配線する接続手段で電気的に接続し、発光素子直付け形の人感スイッチを構成するようにしてもよい。
【０１２７】
発光素子１６を人感スイッチに個々に組み込むことなく、１台の人感スイッチに対応する数だけ用意し、検知治具として使用するようにしたが、図８に示す、本発明の検知部材としての確認用器具３０を構成するようにしてもよい。
【０１２８】
すなわち、確認用器具３０の本体３１は、上記実施例のカバー部材１５と同様に、浅い皿状に形成し、本体ケース１４の周縁部に形成したサポート部１４ａに、合成樹脂の弾性を利用して係合させて嵌め込んで固定し、はずし溝１５ｃにより本体ケース１４から外すことができる構成とする。
【０１２９】
上記に構成した確認用器具３０の本体３１には、上記実施例と同様にして傾斜させた支持凹部１４ｅ、支持凹部に挿入して取り付けられるソケット１４ｄ及び検知エリア確認スイッチ１８を取り付け、さらに発光素子１６を点灯させるための電池３２を本体の背面側に内蔵させ、ソケット１４ｄに上記実施例と同様の発光素子１６の口金１６ｂをねじ込んで取り付け、確認用器具３０を構成する。
【０１３０】
なお、本体ケース１４は、図８に示すように、ソケット１４ｅや検知エリア確認スイッチ１８を有さない従来と同様の構成にする。
【０１３１】
上記従来と同様の本体ケースを部屋に設置し、検知エリアの確認作業を行うときに、本体ケース１４のサポート部１４ａに、合成樹脂の弾性を利用して確認用器具３０の本体３１を嵌め込んで固定し、検知エリア確認スイッチ１８をオンして発光素子１６を電池３２により点灯して確認作業を行う。
【０１３２】
この際、ソケット１４ｄは検知エリアのビーム角度に合わせて傾斜させた支持凹部１４ｅに取り付けられているので、発光素子１６は設置された人感スイッチの検知エリアを正確に表示する。
【０１３３】
作業が終了したら確認用器具３０を本体ケース１４から、はずし溝１５ｃを使って取り外し、次の部屋で、取り外した確認用器具３０を２台目の人感スイッチ１０の本体ケース１４に、再度取り付けて確認作業を行う。
【０１３４】
この方式によれば、発光素子１６を人感スイッチ個々に組み込むことなく、１台の人感スイッチに対応する数だけの発光素子１６を組み込んだ確認用器具３０を構成すればよく、便利になると共に、人感スイッチとしては、高価な発光素子を組み込む必要がなくなりコストアップを抑制することができる。
【０１３５】
また確認用器具３０は、発光素子１６を点灯するための電池３２を内蔵しているので、１００Ｖ配線が完了していない工事現場においても、電池を電源として検知アリアの確認作業を行うことができ、便利で有用な人感スイッチを提供することができる。
【０１３６】
上記実施例によれば、人感スイッチの付加機能部材として、センサの検知エリアを表示する発光素子１６を構成し、検知エリアを目視できるように構成したので、確実かつ正確に人の存否を検知することが可能な人感スイッチを提供することができる。
【０１３７】
発光素子１６は、８個のＬＥＤ１６ａで構成し、センサ１１の検知エリアＢの四隅のビームポイントａ、ｂ、ｃ、ｄ及び略中間点に位置するビームポイントｅ、ｆ、ｇ、ｈに、それぞれ対応して投影し、センサの検知エリアを表示するようにしたので、目視しながらセンサの検知エリアを確実かつ正確に確認することができる。
【０１３８】
さらに、空中に投影される斜めの８本の光線ビーム、さらに床面に明るく投影された８個の光るポイントによりセンサの検知エリアが明確に表示されて一層目視し易くなる。
【０１３９】
特に、発光素子１６として光の直進性が良好なＬＥＤを用いたので、より一層明確にセンサの検知エリアを表示することができる。
【０１４０】
また、施工後に部屋に実際に入居し、家具等を設置した状態で、使用者に目で見える形で示しながら、センサの検知エリアを確認することができ、使用者が満足する状態に、より一層確実かつ正確に設定することが可能となる。
【０１４１】
また、ショウルーム等に上述した人感スイッチ１０及び照明器具２０からなる照明装置２５をセットして置くことにより、使用者は事前に、目に見える形で人感スイッチの動作状況、性能等を確認することができ、販売の促進効果が期待できると共に、使用者は動作状況に不安を持つことなく使用することができる。同時に無用な苦情等も抑制され対応処理も低減化させることも可能となる。
【０１４２】
検知エリア確認スイッチ１８を設けて、発光素子１６を必要なときに作動させるようにしたので、不要な電力消費を抑えることができる。
【０１４３】
さらに、発光素子１６及び検知エリア確認スイッチ１８は、本体ケース１４の正面側に設け、カバー部材１５で覆う構成にしたので、通常時は発光素子や検知エリア確認スイッチ１８が外面に露出することなく隠れているので、商品としての外観を損なうことがない。
【０１４４】
ねじ込み式の口金１６ｂとソケット１４ｄにより、発光素子１６を本体ケース１４に設置可能となす接続手段１７を構成したので、簡易な構成でセンサの検知エリアを表示するための発光素子を人感スイッチに設置することができる。
【０１４５】
同時に着脱が可能な接続手段で構成したので、発光素子１６は人感スイッチ個々に組み込むことなく、１台の人感スイッチに対応する数だけ用意し、確認用の治具として使用することができ便利になると共に、人感スイッチとしては、高価な発光素子を組み込む必要がなくなりコストアップを抑制することができる。
【実施例２】
【０１４６】
本実施例は、負荷をオン、オフするリレーのみを交換する付加機能部材を設置可能とした人感スイッチ及び照明装置の実施形態であり、その構成を図９〜図１１に従い説明する。
【０１４７】
なお、図９〜図１１には、実施例１と同一部分には同一符号を付して説明する。
【０１４８】
図中４０はリレーユニットで、ケース内に、負荷である照明器具をオン、オフするリレー及びリレーの接点溶着を検知する手段を内蔵している。
【０１４９】
ケース４０ａは、耐熱性で電気絶縁性を有する合成樹脂で有底円筒状をなし、その開放端部を閉塞する蓋４０ｂを有する（図１０）。
【０１５０】
蓋４０ｂは円板状をなし、ケース４０ａと同様に耐熱性で電気絶縁性を有する合成樹脂等で構成し、蓋の一面（図中下面）にリレー４１及びリレー４１の接点溶着を検知する検知リレー４２を支持枠等によって支持し、蓋４０ｂの他の面（図中上面）にリレー４１の両端子と接続した端子ピン４１ａを突出して設ける。端子ピンは蛍光ランプの点灯管等に用いられる押しピン状の２本の端子で構成する（図１１（ｂ））。
【０１５１】
図中４３は、リレー４１及び検知リレー４２を作動させるためのリレーコイルで、リレー及び検知リレーと共に蓋４０ｂに支持する。
【０１５２】
検知リレー４２及びリレーコイル４３の両端子は、円筒状をなすケース４０ａの外側面に露出して設けられた検知リレー接点端子４２ａ、４２ａ及びコイル接点端子４３ａ、４３ａに、それぞれ接続される。
【０１５３】
蓋４０ｂに支持されたリレー４１、検知リレー４２及びリレーコイル４３をケース４０ａ内に挿入し、ケース４０ａの開放端部を蓋４０ｂで閉塞することによりリレーユニット４０を構成する。
【０１５４】
上記に構成したリレーユニット４０は、人感スイッチ１０の本体ケース１４に取り付けられた制御ボックス１３ｄ内に差し込むことにより機械的に支持されて接続され、同時に電気的に接続される。
【０１５５】
すなわち、制御ボックス１３ｄ内には、リレーユニット４０の円筒ケース４０ａが差し込まれる円筒状の支持凹部１３ｊを形成する。
【０１５６】
支持凹部１３ｊの底面には、リレー４１の押しピン状の２本の端子４１ａを受け入れるソケット部１３ｋを形成する。
【０１５７】
このソケット部１３ｋは、図１１（ａ）に示すように、点灯管のソケットと同様に、だるま孔状の端子部１３ｍを有して押しピン状の２本の端子４１ａを挿入し、少し回転することでソケット部１３ｋの端子部１３ｍと押しピン状の２本の端子４１ａとが接触して電気接続がなされると共に、両者が係合して機械的にも支持されるようになっている。
【０１５８】
リレーユニット４０を取り外す場合には、点灯管と同様に、逆方向に少し回転すれば、押しピン状の２本の端子４１ａとソケット部１３ｋの端子部１３ｍとの機械的な係合が解除され、引き抜くことにより容易に取り外すことができる。これにより、リレーユニット４０がソケット部１３ｋに対して着脱可能に支持される。
【０１５９】
上記の押しピン状の２本の端子４１ａとソケット部１３ｋで、人感スイッチの付加機能部材であるリレーユニット４０を本体ケース１４に設置するための接続手段１７が構成される。
【０１６０】
支持凹部１３ｊの内面には、円筒状をなすケース４０ａの外側面に露出して設けられた検知リレー接点端子４２ａ、４２ａ及びコイル接点端子４３ａ、４３ａに対応して、導電片４２ａ１、４２ａ１及び４３ａ１、４３ａ１をそれぞれ設け、リレーユニット４０を支持凹部１３ｊに差し込み少し回転した状態で両者が接触して電気接続をなすように構成する。
【０１６１】
カバー部材１５にも、リレーユニット４０が挿通される貫通孔１５ｅを形成し、リレーユニット４０が本体ケース１４からカバー部材を外さずに、容易に着脱することができるように構成する。
【０１６２】
次に、上記に構成した人感スイッチの電気回路及び照明器具との配線図を、図１０（ａ）に従い説明する。
【０１６３】
人感スイッチ１０の制御部材１３には、電源入力端子１３ｆ、信号入力端子１３ｇ、直流電源出力端子１３ｈ、検知リレー端子１３ｐ及びリレーコイル端子１３ｑ、さらにリレー４１の押しピン状の２本の端子を受け入れるソケット部１３ｋのソケット端子１３ｒを設ける。
【０１６４】
信号入力端子１３ｇに人感スイッチのセンサ１１を接続し、直流電源出力端子１３ｈにリレー４１の接点溶着状態を表示するＬＥＤからなる表示ランプ４４を接続する。
【０１６５】
さらに、検知リレー端子１３ｐに導電片４２ａ１、４２ａ１を接続し、リレーコイル端子１３ｑに導電片４３ａ１、４３ａ１を接続する。
【０１６６】
さらに、電源入力端子１３ｆに商用電源２１を接続し、ソケット端子１３ｒに照明器具２０及び商用電源２１の一端を接続する。
【０１６７】
これにより、リレーユニット４０をソケット部１３ｋに差し込むと、負荷のオン、オフを行うスイッチとなるリレー４１の両端子が、商用電源２１に対し照明器具２０を介して直列に配線接続される。
【０１６８】
表示ランプ４４は、本体ケース１４の正面側に、リレーユニット４０に隣接して取り付け、カバー部材１５に形成される透孔１５ｆを介して外部から視認できるように構成する（図９）。
【０１６９】
上記に構成した人感スイッチ１０及び照明器具２０は、実施例１と同様の手順に従って部屋に設置され、配線接続されて照明装置２５が構成される。
【０１７０】
次に、上記に構成された照明装置の作動を説明する。
【０１７１】
なお、人感スイッチ１０には、製品としてセンサ１１及びレンズ１２からなるユニット、リレーユニット４０及び表示ランプ４４が予め組み込まれている。
【０１７２】
扉を開き部屋に人が入ると、人感スイッチ１０の検知エリアＢ内に人が入ってセンサ１１が人の熱を感知する。
【０１７３】
これにより、制御部材１３の制御部からリレーユニット４０のリレーコイル４３にオン信号が出力されて、リレー４１及びリレーの接点溶着を検知する検知リレー４２がオンし照明器具２０が点灯する。
【０１７４】
人が部屋にいる間はセンサ１１が人の存在を感知して点灯をし続ける。
【０１７５】
人が部屋から出ると、センサ１１は熱線を感知しなくなって、検知エリアＢ内に人がいないことを認識し、タイマー１３ａに信号を出力する。
【０１７６】
タイマー１３ａは設定された所定の時間にわたりリレーコイル４３にオン信号を出力し、リレー４１及び検知リレー４２をオンの状態に保持して照明器具２０を点灯し続け、所定時間経過後に、オフ信号を出力してリレー４１及び検知リレー４２をオフして照明器具２０を自動的に消灯する。
【０１７７】
上記作動を繰り返して長期にわたり使用した場合、若しくは過大な負荷を接続して動作させてしまった場合などに、リレー４１の接点開放時に生じるアークのために接点が溶着し、リレー４１がオン状態となり負荷である照明器具２０が、人の存否にかかわらず点灯したままの状態となることが稀に生じる。
【０１７８】
リレー４１の接点が溶着した場合、リレー４１と同じ動作を行う検知リレー４２も同時にオンになり続け、これにより制御部が接点溶着の異常を感知して異常信号を出力し、表示ランプ４４を点滅させてリレー４１の接点溶着が生じたことを報知する。
【０１７９】
制御部材１３の制御部は、下記の「表１」に示すように、リレーコイル４３への信号、リレー４１の接点及び検知リレー４２の接点の動作状況を判別して、リレー４１の接点溶着の異常状態を感知する。
【０１８０】
すなわち、リレーコイル４３へ「オン」信号が入力されたときに、リレー４１の接点が「オン」、検知リレー４２の接点「オン」であれば、正常（点灯状態）と判別する。
【０１８１】
リレーコイル４３へ「オフ」信号が入力されたときに、リレー４１の接点が「オフ」、検知リレー４２の接点が「オフ」であれば、正常（消灯状態）と判別する。
【０１８２】
リレーコイル４３へ「オフ」信号が入力されたときに、リレー４１の接点が「オン」、検知リレー４２の接点が「オン」であれば、異常（リレー接点溶着）と判別する。
【０１８３】
【表１】
2007141604.tif 000003
上記により使用者は、人感スイッチ１０を下方から覗き、カバー部材１５から露出して見える表示ランプ４４の点滅で、リレー４１の接点溶着による異常だと判断して、リレーユニット４０を交換する。
【０１８４】
この交換は、蛍光ランプの点灯管の交換と同様に容易に行うことができる。
【０１８５】
すなわち、カバー部材１５の貫通孔１５ｅから露出して見えるリレーユニット４０を、手で摘んで左回りに少し回転すれば、押しピン状の２本の端子４１ａとソケット部１３ｋの端子部１３ｍとの係合が解除され、引き抜くことにより容易に取り外すことができる。
【０１８６】
新たに電気店で購入したリレーユニット４０をカバー部材１５の貫通孔１５ｅから挿入して、押しピン状の２本の端子４１ａをソケット部１３ｋのだるま孔状の端子部１３ｍに挿入し、右回りに少し回転することで、電気接続がなされると共に機械的にも支持される。
【０１８７】
なお、リレー４１の接点溶着が生じた場合、従来では原因が即座に判明しないため、人感スイッチ１０全体を交換する必要が生じていた。
【０１８８】
本実施例によれば、表示ランプ４４の点滅により、即座にリレー４１の接点溶着が発生したことが判断でき、点灯管と同様に、使用者が自ら簡単に交換を行うことができる。
【０１８９】
本実施例において、負荷である照明器具２０をオン、オフするリレー４１及びリレー４１の溶着を検知する検知リレー４２を内蔵したリレーユニット４０を交換するように構成したが、照明器具をオン、オフするリレー４１のみを交換するようにしてもよい。
【０１９０】
すなわち、リレー４１の溶着を検知する検知リレー４２を省略して、図１０（ｂ）に示すように、ケース４０ａ内にリレー４１及びリレー４１を作動させるためのリレーコイル４３のみを収納してリレーボックス４５を構成し、このリレーボックスを、上記と同様に押しピン状の２本の端子４１ａとソケット部１３ｋからなる接続手段に着脱できるように構成する。
【０１９１】
この場合、リレー４１の接点溶着状態はテスター等で確認して判断し、上記と同様にカバー部材１５の外側からリレーボックス４５を交換するようにする。
【０１９２】
上記のリレーユニット４０若しくはリレーボックス４５を電気的及び機械的に支持する接続手段１７として、蛍光ランプの点灯管等に用いられる押しピン状の２本の端子４１ａ及びソケッ部１３ｋで構成したが、実施例１のように白熱電球等に使用されるねじ式の口金及びソケットで構成してもよい。
【０１９３】
リレーユニット４０若しくはリレーボックス４５として、３Ａ定格容量の住宅用リレーと、８Ａ定格容量の施設用リレーを備えておき、用途に合わせた定格容量のリレーユニット若しくはリレーボックスを、上記した接続手段を使用して交換するようにすれば、１個の人感スイッチを住宅用及び施設用として兼用することができる。
【０１９４】
本実施例によれば、表示ランプ４４の点滅により、即座にリレー４１の接点溶着が発生したことが判断でき、リレーユニット４０若しくはリレーのみのリレーボックス４５を交換することができ、使用者に人感スイッチ全体を交換するような不要な費用負担をかけることがない。
【０１９５】
リレーユニット４０若しくはリレーボックス４５を電気的及び機械的に支持する接続手段１７として、蛍光ランプの点灯管等に用いられる押しピン状の２本の端子４１ａ及びソケット部１３ｋで構成したり、実施例１のように白熱電球等に使用されるねじ式の口金及びソケットで構成したので、蛍光ランプの点灯管の交換と同様に、使用者が自ら簡単に交換を行うことができる。
【０１９６】
さらに、カバー部材１５にリレーユニット４０若しくはリレーボックス４５が挿通される貫通孔１５ｅを形成したので、カバー部材１５を外さずに容易に着脱することができ、交換作業がより一層容易になる。
【０１９７】
また、表示ランプ４４をカバー部材１５に形成される透孔１５ｆを介して外部から視認できるようにしたので、容易かつ確実にリレーの接点溶着による異常状態を判断することができる。
【０１９８】
また、表示ランプ４４に変わって、負荷である照明器具を点滅させたり、減光させたりして使用者にリレーの交換を促すこともできる。
【０１９９】
なお、本実施例における他の構成、設置のための作業手順、作動、作用効果、変形例等は、実施例１と同様である。
【実施例３】
【０２００】
本実施例は、各種用途への兼用を果たすことが可能となる付加機能部材を設置可能とした人感スイッチ及び照明装置の実施形態であり、その構成を図１２〜図１３に従い説明する。
【０２０１】
なお、図１２〜図１３には、実施例１及び実施例２と同一部分には同一符号を付して説明する。
【０２０２】
各種用途への兼用を果たすことが可能となる付加機能部材として、各種用途に使用されるセンサ及びレンズからなるセンサユニット５０及び各種用途に使用されるリレーユニット６０を構成する。
【０２０３】
センサ及びレンズからなるセンサユニット５０は、実施例１と同様に、赤外線等の熱線を検知するセンサ１１と、センサの受光面を覆うレンズ１２との組み合わせで構成し、各種機能を有するレンズを組み合わせることにより、各種の用途に応じたセンサユニット５０を形成する。
【０２０４】
すなわち、３６０度の角度方向にわたり検知する広角レンズを用いて広角ユニット５１を、３６０度の角度方向は検知しない半分検知のレンズを用いて半角ユニット５２を、直下レンズを用いて直下ユニット５３を、さらに外周だけを検知するレンズを用いて外周ユニット５４をそれぞれ構成する。
【０２０５】
各センサユニット５０のレンズ１２は、ドーム型に形成したフレネルレンズで構成し、その各種用途に応じた検知エリアからの熱線をセンサ１１の受光面に確実に集光できるように構成する。
【０２０６】
また、各センサユニットの端子ピン５０ａは、同一の構造、同一の規格寸法を持って形成し、ソケット部材である共通ソケット７０に着脱可能に差し込むことができるように構成する。
【０２０７】
また、リレーユニット６０として３Ａ定格容量の住宅用リレーユニット６１と８Ａ定格容量の施設用リレーユニット６２を構成する。
【０２０８】
各リレーユニット６０は、上記実施例２と同様に、ケース４０ａ内に、負荷である照明器具をオン、オフするリレー４１及びリレーの溶着を検知する検知リレー４２及びリレーコイル４３を収納した構成とし、実施例２と同様の構造及び作用を有するように構成する。
【０２０９】
各リレーユニット６０の端子ピンは、実施例２と同様に、蛍光ランプの点灯管等に用いられる押しピン状の２本の端子４１ａを、同一の構造、規格寸法を持って形成し、ソケット部材である共通のソケット部１３ｋに着脱可能に差し込むことができるように構成する。
【０２１０】
また、人感スイッチ１０の本体ケース１４には、中央部に位置して各センサユニット５０の端子ピン５０ａが差し込まれる共通の受け端子を有する１個の共通ソケット７０を設ける。
【０２１１】
さらに、共通ソケット７０に隣接して、各リレーユニット６０の端子ピン４１ａが差し込まれる、共通のソケット部１３ｋを１個を設ける。
【０２１２】
上記のように構成した人感スイッチ１０、複数のセンサユニット５０及び複数のリレーユニット６０により、人感スイッチを各種の用途に兼用させることができる。
【０２１３】
まず、屋内の天井用に用いる場合には、広角ユニット５１を本体ケース１４に設けられた共通ソケット７０に差し込んで人感スイッチ１０を構成して天井に設置する。
【０２１４】
これによって、広角レンズにより部屋内の３６０度の角度方向にわたり検知することが可能な人感スイッチを用いた照明装置が構成される。
【０２１５】
廊下等の通路に設置する場合には、広角ユニット５１に代えて、３６０度の角度方向は検知しない半角ユニット５２を共通ソケット７０に差し込んで人感スイッチを構成し、壁面に設置して半分検知のレンズにより通路を通過する人を検知するようにする。
【０２１６】
さらに、例えば、オフィス内等の特定の場所をスポット的に検知する場合には、直下ユニット５３に差し替えて用い、直下レンズにより直下を検知するようにする。
【０２１７】
さらに店舗等で、熱を発するような展示物に対して、その周囲にくる人を検知するような場合には、外周ユニット５４に差し替えて用い、外周だけを検知するレンズにより展示物の外周を検知するようにする。
【０２１８】
また、人感スイッチを住宅用に用いる場合には、リレーユニットとして、３Ａ定格容量の住宅用リレーユニット６１を本体ケース１４のソケット部１３ｋに差し込んで人感スイッチを構成し、住宅に設置して使用する。
【０２１９】
また、施設用に用いる場合には、住宅用リレーユニット６１に代えて、定格容量の大きな８Ａの施設用リレーユニット６２を差し込んで使用する。
【０２２０】
本実施例において、ケース４０ａ内に、リレー４１、検知リレー４２及びリレーコイル４３を収納したリレーユニットを構成したが、実施例２の図１０（ｂ）に示すようなリレー４１とリレーコイル４３からなるリレーボックス４５を構成するようにしてもよい。
【０２２１】
センサユニット５０及びリレーユニット６０を接続するための端子ピン及びソケットは、上記構成に代えて、白熱電球等に用いられるねじ込み式の口金及びソケットで構成するようにしてもよい。
【０２２２】
本実施例によれば、各種検知機能を有するセンサ及びレンズからなるユニットを構成し、用途に応じて差し替えることができるようにしたので、１個の人感スイッチを天井用や壁取付用など各種用途を兼用することができ便利で有用な人感スイッチを提供することができる。
【０２２３】
さらに、定格容量の異なる住宅用リレーユニット及び施設用リレーユニットを構成し、用途に応じて差し替えることができるようにしたので、１個の人感スイッチを住宅用や施設用に兼用することができ、一層便利で有用な人感スイッチを提供することができる。
【０２２４】
また、各種用途に兼用することができるため、製品の在庫管理を簡素化することも可能となり、さらに急な仕様変更に対応して、現場で差し替えることも可能な人感スイッチを提供することができる。
【０２２５】
また、人感スイッチは、正確な検知動作をさせるために、センサとレンズは厳密な寸法管理及び位置合わせを行って組み立てる必要があるが、本実施例は、センサとレンズを分離することなく一体に組み合わせて単一のユニットに構成した。
【０２２６】
このために、各種用途に合わせてセンサユニットを交換しても、その都度センサとレンズの位置合わせ等の作業を行うことなく、正確な検知動作を行わせることができる。
【０２２７】
なお、本実施例における他の構成、設置のための作業手順、作動、作用効果、変形例等は、実施例１及び実施例２と同様である。
【０２２８】
以上、本発明の好適な実施例を説明したが、本発明は上述の各実施例に限定されることなく、例えば、上記各実施例の付加機能部材を全て設置して人感スイッチを構成しても、また各付加機能部材を適宜選択して設置した人感スイッチを構成してもよいなど、本発明の要旨を逸脱しない範囲内において、種々の設計変更を行うことができる。
【図面の簡単な説明】
【０２２９】
【図１】本発明の第１の実施形態における人感スイッチを、カバー部材を取り外した状態で示す斜視図。
【図２】同じく人感スイッチの一部を切り欠いて示す側面図。
【図３】同じく人感スイッチの検知エリアを示す図で、（ａ）は斜視図、（ｂ）は側面図、（ｃ）平面図。
【図４】同じく人感スイッチの電気回路図及び照明装置の配線図。
【図５】同じく人感スイッチの発光素子及び接続手段を拡大して示す図で、（ａ）は第１の実施形態の断面図、（ｂ）は変形例の断面図。
【図６】同じく人感スイッチ及び照明器具を設置した照明装置の概要を示す説明図。
【図７】同じく人感スイッチの壁取付形における検知エリアを示す斜視図。
【図８】同じく人感スイッチの変形例を、一部を切り欠いて示す側面図。
【図９】本発明の第２の実施形態における人感スイッチを、一部を切り欠いて示す側面図。
【図１０】同じく人感スイッチの回路及び照明装置の配線を示し、（ａ）はその電気回路図及び配線図、（ｂ）はリレーユニットの変形例を示す図。
【図１１】同じく人感スイッチの接続手段を示す図で、（ａ）はソケット部の平面図、（ｂ）はリレーユニットの斜視図。
【図１２】本発明の第３の実施形態における人感スイッチを、一部を切り欠いて示す側面図。
【図１３】同じく人感スイッチのセンサユニット及びリレーユニット及びその接続状況を概略的に示す説明図。
【符号の説明】
【０２３０】
１０  人感スイッチ
１１  センサ
１２  レンズ
１３  制御部材
１４  本体ケース
１５  カバー部材
１６  付加機能部材
１７  接続手段
【図１】
2007141604.tif 000004
【図２】
2007141604.tif 000005
【図３】
2007141604.tif 000006
【図４】
2007141604.tif 000007
【図５】
2007141604.tif 000008
【図６】
2007141604.tif 000009
【図７】
2007141604.tif 000010
【図８】
2007141604.tif 000011
【図９】
2007141604.tif 000012
【図１０】
2007141604.tif 000013
【図１１】
2007141604.tif 000014
【図１２】
2007141604.tif 000015
【図１３】
2007141604.tif 000016